(57)【要約】【課題】洗浄空間の空気を除湿するために設けられる除湿部の構成を有効利用して、洗浄空間の空気の消臭を行うことが可能となる食器洗浄機を提供する。【解決手段】通風経路Ｆを通して洗浄空間Ｑの空気を循環させる通風手段２３と、通風経路Ｆを通して循環される空気を除湿用水との接触により冷却して空気中の水分を凝縮させることにより除湿する除湿部Ｇと、洗浄空間Ｑの空気を加熱する加熱手段９と、運転を制御する制御手段Ｈとが備えられ、制御手段Ｈが、加熱手段９による加熱作動を停止させた状態で、洗浄空間Ｑの空気を通風経路を通して循環させ、且つ、除湿部Ｇにて除湿用水と通風経路Ｆを通過する空気との接触により空気中の臭気成分を除去すべく作動を制御する消臭処理を実行する。【選択図】図７
2010233653.tif 000002
【特許請求の範囲】
【請求項１】
開閉自在な洗浄空間内の洗浄対象物を洗浄する洗浄処理、前記洗浄対象物をすすぐすすぎ処理、及び、前記洗浄対象物を乾燥する乾燥処理を実行する制御手段が設けられ、前記洗浄空間からの空気吸引口と前記洗浄空間への空気供給口とに亘る通風経路を通して前記洗浄空間の空気を循環させる通風手段と、前記通風経路を通して循環される空気を除湿用水との接触により冷却して空気中の水分を凝縮させることにより除湿する除湿部と、前記洗浄空間の空気を加熱する加熱手段とが備えられ、
前記制御手段が、前記乾燥処理として、前記加熱手段にて前記洗浄空間の空気を加熱しながら前記通風手段にて前記洗浄空間の空気を前記通風経路を通して循環させ、且つ、前記除湿部にて前記通風経路を通して循環される空気を除湿すべく、前記通風手段、前記加熱手段及び前記除湿部の作動を制御するように構成された食器洗浄機であって、
前記制御手段が、
前記加熱手段による加熱作動を停止させた状態で、前記通風手段にて前記洗浄空間の空気を前記通風経路を通して循環させ、且つ、前記除湿部にて前記除湿用水と前記通風経路を通過する空気との接触により空気中の臭気成分を除去すべく、前記通風手段、前記加熱手段及び前記除湿部の作動を制御する消臭処理を実行するように構成されている食器洗浄機。
【請求項２】
前記空気吸引口及び前記空気供給口が、前記洗浄空間の側壁部における下位側箇所に形成され、
前記通風経路が、前記空気吸引口から上方側に伸びる上昇経路部分とその上昇経路部分の上端部から前記空気供給口に向けて下方側に伸びる下降経路部分とからなる逆Ｕ字状に構成されている請求項１記載の食器洗浄機。
【請求項３】
前記除湿部が、
除湿対象の空気を上方に向けて通過するように案内する上方通過案内部と、上方に向けて通過する空気に対して除湿用水を下方に向けて噴出させる噴出手段とを備えて、上方通過案内部にて上方に向けて通過するように案内する空気を、前記噴出手段により下方に向けて噴出される除湿用水との接触により冷却して空気中の水分を凝縮させることにより除湿するように構成されている請求項１又は２記載の食器洗浄機。
【請求項４】
前記除湿部が、
前記通風経路における前記上昇経路部分を通過する空気に対して除湿用水を下方に向けて噴出させる噴出手段を備えて、前記上昇経路部分を上方に向けて通過する空気を、前記噴出手段により下方に向けて噴出される除湿用水との接触により冷却して空気中の水分を凝縮させることにより除湿するように構成されている請求項２記載の食器洗浄機。
【請求項５】
前記除湿部が、
縦向き姿勢の平板状の伝熱体を板厚方向に沿って間隔を隔てて複数並置する状態で備えて、それら複数の伝熱体に向けて前記噴出手段により除湿用水を噴出することによって、前記複数の伝熱体の間を通して上方に向けて流動する空気を、前記伝熱体の表面を流下する除湿用水との接触及び前記伝熱体の間を流下する除湿用水との接触により冷却して、空気中の水分を凝縮させることにより除湿するように構成されている請求項３又は４記載の食器洗浄機。
【請求項６】
前記制御手段が、
前記乾燥処理を含む運転の実行が指令されると、前記乾燥処理を実行した後に前記消臭処理を実行するように構成されている請求項１〜５のいずれか１項に記載の食器洗浄機。
【発明の詳細な説明】
【技術分野】
【０００１】
本発明は、開閉自在な洗浄空間内の洗浄対象物を洗浄する洗浄処理、前記洗浄対象物をすすぐすすぎ処理、及び、前記洗浄対象物を乾燥する乾燥処理を実行する制御手段が設けられ、前記洗浄空間からの空気吸引口と前記洗浄空間への空気供給口とに亘る通風経路を通して前記洗浄空間の空気を循環させる通風手段と、前記通風経路を通して循環される空気を除湿用水との接触により冷却して空気中の水分を凝縮させることにより除湿する除湿部と、前記洗浄空間の空気を加熱する加熱手段とが備えられ、前記制御手段が、前記乾燥処理として、前記加熱手段にて前記洗浄空間の空気を加熱しながら、前記除湿用水と前記通風経路を通過する空気とを接触させる状態で、前記洗浄空間の空気を前記通風経路を通して循環させるべく、前記通風手段、前記加熱手段及び前記除湿部の作動を制御するように構成された食器洗浄機に関する。
【背景技術】
【０００２】
かかる食器洗浄機は、皿や茶碗等の食器類を洗浄するのに使用されるものであり、標準的な使用形態としては、洗浄空間内に洗浄対象物が収納されると、洗浄空間内に備えられた洗浄ノズルから洗浄水を洗浄対象物に向けて噴出させて洗浄処理を行い、次に、洗浄ノズルからすすぎ水を噴出させながら洗浄対象物をすすぐすすぎ処理を行い、その後、洗浄対象物に乾燥用空気を通風して乾燥する乾燥処理を行うように使用されることになるが、場合によっては、手洗い済み等の洗浄を必要としない洗浄対象物に対して、すすぎ処理及び乾燥処理を行うように使用される等、種々の使用形態にて使用されることもある。
【０００３】
又、上記食器洗浄機は、通風経路を通して洗浄空間の空気を循環させる通風手段、及び、通風経路を通して循環される空気を除湿用水との接触により冷却して空気中の水分を凝縮させることにより除湿する除湿部が備えられて、乾燥処理においては、洗浄空間の空気を除湿しながら循環させるものであるから、乾燥処理の際に、湿った空気が機外に排出されることが無いため、使用者やこの食器洗浄機が設置される箇所に存在する他の機器類に湿った空気が吹き付けられる不都合が抑制されて、使用勝手が良いものとなる（例えば、特許文献１参照。）。
【０００４】
尚、特許文献１には、乾燥処理について詳細な説明が記載されていないが、乾燥処理においては、洗浄空間の底部に備えられた加熱手段としてのヒータを用いて洗浄空間の空気を加熱するようになっており、乾燥処理において加熱手段にて洗浄空間の空気を加熱することで、洗浄対象物から水分を蒸発させて高温多湿になった状態で除湿部にて除湿処理を行って洗浄対象物を乾燥できるようになっている。
【先行技術文献】
【特許文献】
【０００５】
【特許文献１】特開平８−１３１３９１号公報
【発明の概要】
【発明が解決しようとする課題】
【０００６】
かかる食器洗浄機では、洗浄対象物としての皿や茶碗等の食器類には残菜類が付着しており、この残菜類等が原因で発生した臭気成分が洗浄空間内に存在することがあるが、従来の食器洗浄機、つまり、通風手段及び除湿部が備えられて、乾燥処理において、洗浄空間の空気を除湿しながら循環させるように構成された食器洗浄機においては、洗浄空間の空気は通風経路を通して循環されるものであり、外部に排出されない状態で循環することになるから、洗浄空間に上記したような臭気成分が長い間残るおそれがある。
【０００７】
上記したように洗浄空間に臭気成分が残ることがあると、例えば、乾燥処理の終了後に洗浄空間から食器等の洗浄対象物を取り出すとき、及び、次回の使用時に洗浄空間に洗浄対象物を収納するとき等において、使用者が臭気成分により不快になり食器洗浄機として良好に使用することができないおそれがあり、この点で改善の余地があった。
【０００８】
本発明は、上記実情に鑑みて為されたものであって、その目的は、洗浄空間の空気の消臭を行うことにより良好に使用することが可能な食器洗浄機を提供する点にある。
【課題を解決するための手段】
【０００９】
本発明に係る食器洗浄機は、開閉自在な洗浄空間内の洗浄対象物を洗浄する洗浄処理、前記洗浄対象物をすすぐすすぎ処理、及び、前記洗浄対象物を乾燥する乾燥処理を実行する制御手段が設けられ、前記洗浄空間からの空気吸引口と前記洗浄空間への空気供給口とに亘る通風経路を通して前記洗浄空間の空気を循環させる通風手段と、前記通風経路を通して循環される空気を除湿用水との接触により冷却して空気中の水分を凝縮させることにより除湿する除湿部と、前記洗浄空間の空気を加熱する加熱手段とが備えられ、
前記制御手段が、前記乾燥処理として、前記加熱手段にて前記洗浄空間の空気を加熱しながら前記通風手段にて前記洗浄空間の空気を前記通風経路を通して循環させ、且つ、前記除湿部にて前記通風経路を通して循環される空気を除湿すべく、前記通風手段、前記加熱手段及び前記除湿部の作動を制御するように構成されたものであって、その第１特徴構成は、
前記制御手段が、
前記加熱手段による加熱作動を停止させた状態で、前記通風手段にて前記洗浄空間の空気を前記通風経路を通して循環させ、且つ、前記除湿部にて前記除湿用水と前記通風経路を通過する空気との接触により空気中の臭気成分を除去すべく、前記通風手段、前記加熱手段及び前記除湿部の作動を制御する消臭処理を実行するように構成されている点にある。
【００１０】
すなわち、制御手段にて消臭処理を実行させると、つまり、加熱手段による加熱作動を停止させた状態で、通風手段にて洗浄空間の空気を通風経路を通して循環させ、且つ、除湿部にて除湿用水と通風経路を通過する空気との接触により空気中の臭気成分を除去すべく、通風手段、加熱手段及び除湿部の作動を制御させると、洗浄空間に存在する臭気成分を除去することができる。
【００１１】
説明を加えると、消臭運転においては、洗浄空間の空気を通風経路を通して循環通風させながら、除湿部にて除湿用水と空気とを接触させることにより、空気中に含まれる臭気成分、例えばアンモニアやトリメチルアミン等の臭気成分を除湿用水に溶け込まして吸収させることで空気中から除去して、空気の消臭を行うことになる。
【００１２】
そして、臭気成分は、例えば加熱手段が加熱作動しているような高温の環境下では水には溶け込み難いが、常温又はそれに近い低めの温度になると水に溶け込み易いという性質を有するものであり、加熱手段による加熱作動を停止させて洗浄空間の空気の温度を低くした状態で、空気を循環させるものであるから、除湿部にて循環される空気と除湿用水とが接触する際に臭気成分を除湿用水に溶け込ませて、空気中から適切に除去することが可能となるのである。
【００１３】
その結果、洗浄空間に存在する臭気成分を除去することができ、使用者が洗浄空間から乾燥が終了した洗浄対象物を取り出すときや、次回の使用時に洗浄空間に洗浄対象物を収納するとき等において、使用者が臭気成分により不快になることを回避できる。
【００１４】
ちなみに、消臭処理の運転形態としては、運転指令に基づいて制御手段が消臭処理だけを単独で実行する運転形態、及び、乾燥処理を含む運転が指令された場合に乾燥処理が終了した後に消臭処理を実行する運転形態等、種々の運転形態がある。
そして、乾燥処理を含む運転形態としては、例えば、洗浄処理、すすぎ処理、乾燥処理、及び、消臭処理の夫々をその順序で実行するような運転形態、すすぎ処理、乾燥処理、及び、消臭処理を実行するような運転形態、あるいは、乾燥処理及び消臭処理を実行するような運転形態等がある。
【００１５】
従って、本発明の第１特徴構成によれば、洗浄空間の空気の消臭を行うことにより良好に使用することが可能な食器洗浄機を提供できるに至った。
【００１６】
本発明の第２特徴構成は、第１特徴構成に加えて、
前記空気吸引口及び前記空気供給口が、前記洗浄空間の側壁部における下位側箇所に形成され、
前記通風経路が、前記空気吸引口から上方側に伸びる上昇経路部分とその上昇経路部分の上端部から前記空気供給口に向けて下方側に伸びる下降経路部分とからなる逆Ｕ字状に構成されている点にある。
【００１７】
すなわち、空気吸引口及び空気供給口が、洗浄空間の側壁部における下位側箇所に形成され、且つ、通風経路が、空気吸引口から上方側に伸びる上昇経路部分とその上昇経路部分の上端部から空気供給口に向けて下方側に伸びる下降経路部分とからなる逆Ｕ字状に構成されているから、洗浄空間内の残菜類が通風経路内に詰まることを抑制できる。
【００１８】
説明を加えると、洗浄処理の際やすすぎ処理の際に、洗浄対象物に付着していた残菜類が空気吸引口や空気供給口を通して通風経路内に飛散する虞があるが、上昇経路部分は空気吸引口を最も下側に位置する状態で上下方向に伸びるものであり、下降経路部分は空気供給口を最も下側に位置する状態で上下方向に伸びるものであるから、通風経路内に飛散した残菜類が通風経路の上部側には移行することが無く、また、通風経路内に飛散した残菜類は通風経路内を自重落下して洗浄空間内に戻るから、洗浄空間の残菜類が通風経路内に詰まることを抑制できるものとなる。
【００１９】
又、空気吸引口及び空気供給口が、洗浄空間の側壁部における下位側箇所に形成されているので、上昇経路部分と下降経路部分とからなる逆Ｕ字状に構成される通風経路を、空気吸引口及び空気供給口が形成される箇所から上方に向けて大きく伸びる状態で形成することができ、残菜類が引っかかり易い通風手段や除湿部を、空気吸引口及び空気供給口から大きく上方に離れた位置に配置させることができ、通風経路内に飛散した残菜類が通風手段や除湿部にまで侵入して付着することを回避し易いものにできる。
【００２０】
従って、本発明の第２特徴構成によれば、第１特徴構成による作用効果に加えて、洗浄処理やすすぎ処理において飛散する残菜類が通風経路に詰まることを回避して、長期にわたり良好に使用することが可能な食器洗浄機を提供できるに至った。
【００２１】
本発明の第３特徴構成は、第１特徴構成又は第２特徴構成に加えて、
前記除湿部が、除湿対象の空気を上方に向けて通過するように案内する上方通過案内部と、上方に向けて通過する空気に対して除湿用水を下方に向けて噴出させる噴出手段とを備えて、上方通過案内部にて上方に向けて通過するように案内する空気を、前記噴出手段により下方に向けて噴出される除湿用水との接触により冷却して空気中の水分を凝縮させることにより除湿するように構成されている点にある。
【００２２】
すなわち、通風手段にて循環通風される除湿対象の空気は、除湿部に案内されると、上方通過案内部を通して上方に向けて通過するように案内されて、そのように上方に向けて通過するように案内される空気に対して、噴出手段により除湿用水が下方に向けて噴出される。
【００２３】
このように上方に向けて通過する空気と噴出手段により下方側に噴出させる除湿用水とを気液接触させて空気中の水分を凝縮させるようにしたから、空気と噴出させる除湿用水とが対向する方向にて移動しながら接触させることになり、下方に落下している除湿用水が上方に向けて通風してくる除湿前の空気と順次接触することになり、下方に向かう除湿用水が空気と接触して空気中の水分を凝縮させる状態ができるだけ長い領域にわたって続くことになる。
【００２４】
しかも、乾燥処理を実行する場合だけでなく、消臭処理を実行する場合においても、上方通過案内部を通して上方に向けて通過するように案内される空気と、除湿用水とが接触する際に、下方に向かう除湿用水が空気と接触して臭気成分を除湿用水に溶け込まして吸収させる状態ができるだけ長い領域にわたって続くことになる。
【００２５】
その結果、乾燥処理を実行するときは、除湿用水の使用量を極力少なくしながら洗浄空間内の空気の除湿を行うことが可能となり、しかも、消臭処理を実行するときは、除湿用水の使用量を極力少なくしながら洗浄空間内の空気の消臭を行うことが可能となる。
【００２６】
従って、本発明の第３特徴構成によれば、第１特徴構成又は第２特徴構成による作用効果に加えて、少ない量の除湿用水によって洗浄空間内の空気の除湿並びに消臭を行うことが可能な食器洗浄機を提供できるに至った。
【００２７】
本発明の第４特徴構成は、第２特徴構成に加えて、
前記除湿部が、前記通風経路における前記上昇経路部分を通過する空気に対して除湿用水を下方に向けて噴出させる噴出手段を備えて、前記上昇経路部分を上方に向けて通過する空気を、前記噴出手段により下方に向けて噴出される除湿用水との接触により冷却して空気中の水分を凝縮させることにより除湿するように構成されている点にある。
【００２８】
すなわち、除湿部は、通風手段の通風作動によって上昇経路部分を上方に向けて通過する空気に対して噴出手段により除湿用水を下方に向けて噴出させ、上昇経路部分を上方に向けて通過する空気を噴出させる除湿用水との接触により冷却して空気中の水分を凝縮させるのである。
【００２９】
このように上方に向けて通過する空気と噴出手段により下方側に噴出させる除湿用水とを気液接触させて空気中の水分を凝縮させるようにしたから、空気と噴出させる除湿用水とが対向する方向にて移動しながら接触させることになり、下方に向けて噴出される除湿用水が上方に向けて通風してくる除湿前の空気と順次接触することになり、下方に向かう除湿用水が空気と接触して空気中の水分を凝縮させる状態ができるだけ長い領域にわたって続くことになる。
【００３０】
しかも、乾燥処理を実行する場合だけでなく、消臭処理を実行する場合においても、上方通過案内部を通して上方に向けて通過するように案内される空気と、除湿用水とが接触する際に、下方に向かう除湿用水が空気と接触して臭気成分を除湿用水に溶け込まして吸収させる状態ができるだけ長い領域にわたって続くことになる。
【００３１】
その結果、乾燥処理を実行するときは、除湿用水の使用量を極力少なくしながら洗浄空間内の空気の除湿を行うことが可能となり、しかも、消臭処理を実行するときは、除湿用水の使用量を極力少なくしながら洗浄空間内の空気の消臭を行うことが可能となる。
【００３２】
又、通風経路における上昇経路部分を利用して、上方に向かう空気と噴出させる除湿用水とが対向する方向にて移動しながら接触させる構成とすることができ、空気を上方に向けて通過させるための特別な構成を除湿部に備えさせる等の構造の複雑化を招く不利のない状態で、洗浄空間内の空気の除湿並びに消臭を行うことが可能となる。
【００３３】
従って、本発明の第４特徴構成によれば、第２特徴構成による作用効果に加えて、構造の複雑化を招く不利のない状態で、少ない量の除湿用水によって洗浄空間内の空気の除湿並びに消臭を行うことが可能な食器洗浄機を提供できるに至った。
【００３４】
本発明の第５特徴構成は、第３特徴構成又は第４特徴構成に加えて、
前記除湿部が、縦向き姿勢の平板状の伝熱体を板厚方向に沿って間隔を隔てて複数並置する状態で備えて、それら複数の伝熱体に向けて前記噴出手段により除湿用水を噴出することによって、前記複数の伝熱体の間を通して上方に向けて流動する空気を、前記伝熱体の表面を流下する除湿用水との接触及び前記伝熱体の間を流下する除湿用水との接触により冷却して、空気中の水分を凝縮させることにより除湿するように構成されている点にある。
【００３５】
すなわち、縦向き姿勢の平板状の伝熱体が板厚方向に沿って間隔を隔てて複数並置する状態で備えられ、それら複数の伝熱体に向けて噴出手段から除湿用水が噴出される。そして、通風手段の通風作動によって通風経路を通流する空気が、複数の伝熱体の間を通して上方に向けて流動するのであり、その空気を伝熱体の表面を流下する除湿用水との接触及び伝熱体の間を流下する除湿用水との接触により冷却することにより、空気中の水分を凝縮させるのである。
【００３６】
つまり、複数の伝熱体の間を通して上方に向けて通過する空気は、複数の伝熱体によって仕切られた複数の分割経路部分に分かれた状態で通風され、且つ、それら複数の分割経路部分の夫々において、伝熱体の表面を流下する除湿用水との接触及び伝熱体の間を流下する除湿用水との接触により冷却するようにしたので、上方に向けて通過する空気と除湿用水との接触面積を極力広くすることができ、除湿用水の使用量を抑制した状態で空気を除湿して乾燥させることができる。
【００３７】
しかも、乾燥処理を実行する場合だけでなく、消臭処理を実行する場合においても、通風経路を通流する空気と除湿用水との接触面積を極力広くすることができることから、除湿用水の使用量をより一層少なくした状態で、空気中に含まれる臭気成分を除湿用水に溶け込まして吸収させることができる利点もある。
【００３８】
従って、本発明の第５特徴構成によれば、第３特徴構成又は第４特徴構成による作用効果に加えて、除湿用水の使用量をより一層少なくした状態で、洗浄空間の空気の乾燥並びに消臭を行うことが可能な食器洗浄機を提供できるに至った。
【００３９】
本発明の第６特徴構成は、第１特徴構成〜第５特徴構成のいずれかに加えて、
前記制御手段が、
前記乾燥処理を含む運転の実行が指令されると、前記乾燥処理を実行した後に前記消臭処理を実行するように構成されている点にある。
【００４０】
すなわち、制御手段が、乾燥処理を含む運転の実行が指令されると、乾燥処理を実行した後に消臭処理を実行するように構成されているから、制御手段が乾燥処理を実行した後に消臭処理を実行することになる。この消臭運転について説明を加えると、乾燥処理を実行しているときは加熱手段にて洗浄空間の空気を加熱しているので、消臭処理を開始して加熱手段の加熱作動を停止させても、最初のうちは洗浄空間の温度は高い温度になっているが、通風手段による通風経路での循環通風が行われることによって、時間の経過に伴って洗浄空間の温度は低下していくことになる。つまり、消臭処理を開始した直後は、洗浄空間の温度が高く臭気成分は水に溶け難いが、洗浄空間の温度が低下すると、洗浄空間の空気に含まれる臭気成分が除湿用水に溶け込んで吸収されるのである。
【００４１】
ところで、消臭運転を単独で指令する場合であれば、使用者が運転の指令を忘れると、消臭運転が行われないので、洗浄空間に臭気成分が長く残るおそれがあるが、本第６特徴構成では、制御手段は乾燥処理を実行した後に消臭処理を実行することになるから、乾燥処理が行われたときには、常に洗浄空間の空気の消臭が行われることになるので、洗浄空間に臭気成分が長く残ることを的確に回避できるものとなる。
【００４２】
従って、第６特徴構成によれば、第１特徴構成〜第５特徴構成のいずれかによる作用効果に加えて、乾燥処理の終了後において洗浄空間に臭気成分が長く残ることを的確に回避できるものとなり、良好に使用することが可能な食器洗浄機を提供できるに至った。
【図面の簡単な説明】
【００４３】
【図１】食器洗浄機の斜視図
【図２】洗浄槽を収納した状態の切欠側面図
【図３】前面の扉体を取り外した洗浄槽を前方側から見た斜視図
【図４】洗浄槽を前方側から見た分解斜視図
【図５】乾燥ユニットの構成を示す斜視図
【図６】乾燥ユニットの構成を示す正面図
【図７】食器洗浄機の概略構成図
【図８】乾燥用空気の流動状態を示す概略斜視図
【図９】制御作動を示すフローチャート
【発明を実施するための形態】
【００４４】
〔実施形態〕
本発明にかかる食器洗浄機について図面に基づいて説明する。
図１〜図４に示すように、前面部が開口された本体部１が設けられ、平面視形状が４角状の洗浄槽Ｄを備えた引出し部２が、本体部１に対して、引出し移動及び収納移動自在に設けられて、食器洗浄機の一例としての引出し式の食器洗浄機が構成されている。
尚、例示はしないが、引出し部２を本体部１に対して移動自在に支持するスライド式レール機構が設けられており、引出し部２が、その大部分を本体部１の外方に露出させる状態に引き出すことができるように構成されている。
【００４５】
そして、引出し部２を本体部１に収納した状態で洗浄槽Ｄの上面部を閉塞し、かつ、引出し部２を本体部１から引き出した状態で洗浄槽Ｄの上面部を開口させる内蓋部３が設けられており、洗浄槽Ｄの内部空間にて、開閉自在な洗浄空間Ｑが構成されている。
【００４６】
引出し部２の前面部には、本体部１の前面部の開口を開閉する扉体Ａが設けられ、その扉体Ａには、引出し部２を本体部１から引き出すときや収納するときに把持するための把持部Ｂが設けられている。尚、詳述はしないが、把持部Ｂの内方側箇所には、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するようになっている。そして、係合手段Ｐは、引出し部２を本体部１から引き出すときに把持部Ｂを支持する手指にて、係合を解除する解除状態に操作できるようになっている。
また、扉体Ａには、運転のための各種操作を行う操作部ＳＳが設けられている。
【００４７】
図７に示すように、洗浄槽Ｄに水を供給する給水路４および給水路４を開閉する給水弁４ａが設けられている。
引出し部２における洗浄槽Ｄの底部下方には、正転で洗浄ポンプとして機能し、且つ、逆転で排水ポンプとして機能する兼用ポンプ６が設けられ、洗浄槽Ｄの内部には、洗浄ノズル８や加熱手段としての電気式のヒータ９などが配置され、さらに、食器などの洗浄対象物を収納載置する洗浄かご１０が、洗浄槽Ｄの内部に着脱自在に装着されている。
【００４８】
兼用ポンプ６は、洗浄槽Ｄの底部に形成した水貯留用凹部Ｓに、吸引管１１にて接続され、かつ、排水管１２が接続されている。
また、水貯留用凹部Ｓには、案内管１３を介して水位センサＪが接続されている。
尚、図２に示すように、本体部１の底部には、漏水受止め用のドレンパン１４が配備されており、例示はしないが、このドレンパン１４にて受止め回収された水の存否を検出する漏水センサが装備されることになる。
【００４９】
図２、図３、図４及び図７に示すように、洗浄槽Ｄにおける４つの側壁部のうちの、機体前面側、つまり引出し部前面側に相当する前側壁部Ｄｆには、乾燥ユニットＫが取り付けられている。
つまり、前側壁部Ｄｆには、図４にも示すように、乾燥ユニットＫからの空気を洗浄空間Ｑに供給する空気供給口２１、及び、乾燥ユニットＫが洗浄空間Ｑ内の空気を吸引する空気吸引口２２が、下方側で左右両側に離れた位置に形成されている。具体的には、空気供給口２１及び空気吸引口２２は、洗浄かご１０よりも下方側に位置するように形成されるものであり、そして、本実施形態では、空気供給口２１を右側に、且つ、空気吸引口２２を左側に位置させている。
【００５０】
乾燥ユニットＫは、洗浄槽Ｄの前側壁部Ｄｆに止着されるケーシング１５の内部に、  空気吸引口２２と空気供給口２１とに亘る通風経路Ｆを通して洗浄空間Ｑの空気を循環させる通風手段としての循環ファン２３、及び、通風経路Ｆを通して循環される空気を除湿する除湿部Ｇを備えて構成されている。
通風経路Ｆは、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に除湿部Ｇが配設され、下降経路部分ｆ２に循環ファン２３が配設されている。
【００５１】
前記ケーシング１５は、前部側分割ケーシング部分１５Ａと、後部側分割ケーシング部分１５Ｂとからなり、それらを接続することで乾燥ユニットＫ全体を囲うことができるように構成されている。そして、図５は、前部側分割ケーシング部分１５Ａを取り外した状態を示している。
【００５２】
除湿部Ｇは、上昇経路部分ｆ１を上方に向けて通過する空気に対して除湿用水を下方に向けて噴出させる噴出手段としての噴出ノズル２５を備えて、上昇経路部分ｆ１を上方に向けて通過する空気を噴出ノズル２５より噴出される除湿用水との接触により冷却して空気中の水分を凝縮させるように構成されている。
【００５３】
説明を加えると、図５及び図６に示すように、除湿部Ｇが、縦向き姿勢となる複数の平板状の伝熱体２４を板厚方向に沿って間隔を隔てて並置する状態で備えて、それら複数の伝熱体２４に向けて噴出ノズル２５から除湿用水を噴出することによって、複数の伝熱体２４の間を通して上方に向けて流動する空気を伝熱体２４の表面を流下する除湿用水との接触及び伝熱体２４の間を流下する除湿用水との接触により冷却することにより、空気中の水分を凝縮させて除湿するように構成されている。
【００５４】
通風経路Ｆにおける空気の流れについて説明すると、図６に示すように、シロッコファンにて構成される循環ファン２３が作動すると、循環ファン２３は吸引用開口２３Ａから空気を吸引するので、洗浄空間Ｑ内部の空気は、ケーシング１５の横側壁部１５ａと仕切り壁４０とにより区画される状態で形成されている上昇経路部分ｆ１を通り上方に向けて流動する。そして、循環ファン２３の吐き出し部２３Ｂから吐き出された空気が、下降経路部分ｆ２を通して下方に向けて流動して空気供給口２１から洗浄空間Ｑ内に供給される。
【００５５】
そして、図５に示すように、平板状の伝熱体２４は、横方向の幅が上昇経路部分ｆ１のほぼ横幅全幅にわたり且つ縦方向の幅が上昇経路部分ｆ１に沿って長い領域にわたる状態で縦向き姿勢になるように設けられ、板厚方向に沿って間隔を隔てて並置するように、左右両側にて保持部材３０にて板厚方向に間隔をあけた状態でケーシング１５に保持される構成となっている。
又、噴出ノズル２５がそれら複数の伝熱体２４の上方側に位置する状態で設けられ、この噴出ノズル２５には、複数の伝熱体２４に均等に除湿用水を噴出させるように、伝熱体２４の並び方向に沿って間隔をあけて並ぶ状態で複数の噴出口が形成されている。
【００５６】
このように構成することで、上昇経路部分ｆ１が複数の伝熱体２４によって仕切られた複数の分割経路部分に区画された状態となり、上昇経路部分ｆ１を上方に向けて通過する空気は複数の分割経路部分に分かれた状態で通風されることになり、しかも、それら複数の分割経路部分の夫々に対して複数の噴出口から的確に除湿用水を噴出させることができ、複数の分割経路部分の夫々において、伝熱体２４の表面を流下する除湿用水との接触及び伝熱体２４の間を流下する除湿用水との接触により的確に冷却させるができ、上方に向けて通過する空気と除湿用水との接触面積を極力広くすることができる。
【００５７】
従って、複数の伝熱体２４によって除湿対象の空気を上方に向けて通過するように案内する上方通過案内部Ｔが構成され、除湿部Ｇが、除湿対象の空気を上方に向けて通過するように案内する上方通過案内部Ｔと、上方に向けて通過する空気に対して除湿用水を下方に向けて噴出させる噴出手段としての噴出ノズル２５とを備えて、上方通過案内部Ｔにて上方に向けて通過するように案内する空気を、噴出ノズル２５により下方に向けて噴出される除湿用水との接触により冷却して空気中の水分を凝縮させることにより除湿するように構成されている。
【００５８】
尚、噴出ノズル２５から噴出された除湿用水は、空気吸引口２２を通して洗浄槽Ｄの内部に流動して水貯留用凹部Ｓに貯留されることになる。
図７に示すように、噴出ノズル２５に水を供給する除湿用給水路２６が設けられ、その除湿用給水路２６を開閉する除湿用水断続弁２７、及び、給水圧安定用のガバナ２８が設けられている。給水圧安定用のガバナ２８は給水圧を安定化させて噴出ノズル２５に供給する水の流量をほぼ一定（例えば０．１５リッター／分）に維持するように構成されている。
【００５９】
そして、電気式のヒータ９を加熱作用させた状態で、循環ファン２３の通風作動及び噴出ノズル２５の除湿用水の噴出作動を行わせることにより、洗浄空間Ｑから吸引した空気を除湿部Ｇにて除湿したのち、乾燥用の空気として洗浄空間Ｑに供給し、その供給された空気を電気式のヒータ９にて加熱することにより、洗浄空間Ｑ内の洗浄対象物を乾燥する乾燥運転を行えるように構成されている。
【００６０】
また、電気式のヒータ９を停止させた状態で、循環ファン２３の通風作動及び噴出ノズル２５の除湿用水の噴出作動を行わせることにより、洗浄空間Ｑから吸引した空気中の臭気成分を除湿部Ｇにて除湿用水に吸収させたのち、洗浄空間Ｑに供給することにより、洗浄空間Ｑを消臭する消臭運転を行えるように構成されている。
説明を加えると、洗浄空間Ｑ内の空気を通風経路Ｆを通して通風させて、除湿部Ｇにて噴出される除湿用水に接触させることにより、空気中に含まれる例えばアンモニアやトリメチルアミン等の臭気成分を除湿用水に溶け込まして吸収させることで、循環される空気から除去することにより消臭するのである。
【００６１】
乾燥運転における空気の流れについて説明を加えると、図８に示すように、洗浄槽Ｄの前側壁部Ｄｆに形成した空気供給口２１から洗浄空間Ｑに供給される空気は、主たる流れとして、上昇しながら後側壁部ＤＲに向けて流動し、その後、前側壁部Ｄｆにおける下方側で且つ空気供給口２１とは左右方向で離れた位置に形成した空気吸引口２２に向けて下方側に移動しながら流動して、空気吸引口２２から排出される形態で流れることになり、洗浄槽Ｄ内における空気吸引口２２が位置する側の下方側の部分にも、空気が流動し易いものとなるのである。
従って、洗浄槽Ｄ内の洗浄対象物の全体に空気を通流させて、洗浄対象物を効率良く乾燥することにより、乾燥時間の短縮化を図ることができるものとなる。
【００６２】
図７に示すように、引出し部２には、運転を制御する制御手段としての制御部Ｈが装備され、この制御部Ｈが、操作部ＳＳにて入力される指令に基づいて、給水弁４ａ、兼用ポンプ６、電気式のヒータ９、循環ファン２３、及び、除湿用水断続弁２７の作動を制御して、洗浄槽Ｄの内部の洗浄空間Ｑの洗浄対象物を洗浄液としての湯水にて洗浄する洗浄処理を実行する洗浄運転、洗浄槽Ｄの水貯留用凹部Ｓに貯留されかつ電気式のヒータ９にて加熱されるすすぎ水により洗浄対象物のすすぎを行うすすぎ処理を実行するすすぎ運転、洗浄槽Ｄの水貯留用凹部Ｓに貯留されたすすぎ水を排水する排水処理を実行する排水運転、電気式のヒータ９を加熱作用させた状態で、循環ファン２３の通風作動及び噴出ノズル２５の除湿用水の噴出作動を行わせる乾燥処理を実行する乾燥運転、及び、電気式のヒータ９を停止させた状態で、循環ファン２３の通風作動及び噴出ノズル２５の除湿用水の噴出作動を行わせる消臭処理を実行する消臭運転等の運転を行うものである。
【００６３】
すなわち、制御部Ｈは、乾燥処理において、電気式のヒータ９にて洗浄空間Ｑの空気を加熱しながら、除湿用水と通風経路Ｆを通過する空気とを接触させる状態で、洗浄空間Ｑの空気を通風経路Ｆを通して循環させるべく、循環ファン２３、電気式のヒータ９及び除湿部Ｇの作動を制御することになる。
【００６４】
又、制御部Ｈは、消臭運転において、電気式のヒータ９による加熱作動を停止させた状態で、循環ファン２３にて洗浄空間Ｑの空気を通風経路Ｆを通して循環させ、且つ、除湿部Ｇにて除湿用水と通風経路Ｆを通過する空気との接触により空気中の臭気成分を除去すべく、循環ファン２３、電気式のヒータ９及び除湿部Ｇの作動を制御するのである。
【００６５】
次に、制御部Ｈが実行する運転について説明を加える。
つまり、使用者は、操作部ＳＳにより、乾燥処理を含む運転として、洗浄運転、すすぎ運転、乾燥運転、消臭運転の順に運転させる連続運転コース、すすぎ運転、乾燥運転、消臭運転の順に運転させる手洗い用運転コース、乾燥運転及び消臭運転の順に運転させる乾燥のみ運転コースなど各種の運転コースを選択できるように構成され、さらに、連続運転コースとして、標準運転コース、念入り運転コース、スピーディ運転コース、快速運転コースが備えられているが、本実施形態においては、標準運転コースについてのみ説明する。
【００６６】
図９のフローチャートに基づいて、制御部Ｈの制御作動について説明する。
まず、図外の収納スイッチにより、引出し部２が本体部１の収納位置に収納されることが検出され（＃１）、操作部ＳＳの電源スイッチがＯＮ操作されると（＃２）、運転コースの選択が行われることになる（＃３）。本実施形態では、標準運転コースが選択されたとして説明を続ける。
操作部ＳＳのスタートスイッチがＯＮ操作されると（＃４）、標準運転コースが開始されて、洗浄運転（＃５）、すすぎ運転（＃６）、排水運転（＃７）、乾燥運転（＃８）、消臭運転（＃９）、排水運転（＃１０）が順次実行される。
【００６７】
洗浄運転は、先ず、給水弁４ａを開弁して給水路４を通して洗浄槽Ｄ内に洗浄水を給水し、その水位が水位センサＪにて設定水位に達したことが検出されると、給水弁４ａを閉じる給水動作を行い、その後、兼用ポンプ６を正転作動させ且つヒータ９を作動させて、洗浄水を洗浄ノズル８から洗浄対象物に向けて噴出する洗浄動作を、洗浄運転用設定時間が経過するまで行い、次に、兼用ポンプ６を逆転作動させ、洗浄槽Ｄ内の洗浄水を排水する排水動作を行うことになる。
【００６８】
すすぎ運転は、上述の洗浄運転における給水動作と同様の給水動作を行って、洗浄槽Ｄの底部にすすぎ水を設定水位貯留させ、その後、兼用ポンプ６を正転作動させて洗浄対象物にむけて設定時間が経過するまで洗浄ノズル８からすすぎ水を噴出するすすぎ水噴出動作、及び、兼用ポンプ６を逆転作動させて洗浄槽Ｄの底部に貯留されたすすぎ水を排水する排水動作を順次行うすすぎ動作を、２回行い、最後に加熱すすぎ動作を行うことになる。
加熱すすぎ動作は、上述の給水作動により、洗浄槽Ｄの底部にすすぎ水を設定水位貯留させたのち、兼用ポンプ６およびヒータ９を作動させて、ヒータ９にて加熱されたすすぎ水により洗浄対象物のすすぎを行うことになり、そして、図外の温度センサにより、すすぎ水の温度が仕上げ用設定温度（例えば、６７℃）になると、加熱すすぎ動作を終了することになる。
【００６９】
排水運転は、兼用ポンプ６を逆転作動させて、洗浄槽Ｄの底部に貯留されたすすぎ水を排水する排水動作を、水位センサＪにて洗浄槽Ｄの底部に貯留されたすすぎ水が排出されたことが検出されるまで行うことになる。
【００７０】
乾燥運転は、電気式のヒータ９を加熱作用させた状態で、循環ファン２３の通風作動及び噴出ノズル２５の除湿用水の噴出作動を行わせることになり、その状態を乾燥用設定時間（例えば、２５分）が経過するまで継続させる。
噴出ノズル２５の除湿用水の噴出作動について説明すると、除湿用水断続弁２７を開弁して除湿用給水路２６を通して噴出ノズル２５に水を供給して、噴出ノズル２５から除湿用水を噴出させる。そのとき、給水圧安定用のガバナ２８にて水の流量がほぼ一定（例えば０．１５リッター／分）に維持される。噴出ノズル２５から噴出される除湿用水は、通風経路Ｆにおける上昇経路部分ｆ１を通して下方に流下してケーシング１５の内面により案内されて水貯留用凹部Ｓに貯留される。
そして、貯留される除湿用水によって電気式のヒータ９が浸漬することが無いように、設定時間が経過する毎に、または、水位センサＪにて水貯留用凹部Ｓの水位が排水用設定水位であることが検出されたときに、兼用ポンプ６を逆転作動させて除湿用水を外部に排出させる排水処理を実行するようになっている。
【００７１】
乾燥運転を開始して乾燥用設定時間が経過すると、次に、消臭運転に移行する。
つまり、電気式のヒータ９による加熱作動を停止させた状態で、循環ファン２３の通風作動を実行し、除湿用水断続弁２７を開弁して除湿用給水路２６を通して噴出ノズル２５に水を供給して噴出ノズル２５の除湿用水の噴出作動を行わせる。そして、消臭運転を開始して消臭用設定時間が経過すると、循環ファン２３の通風作動を停止し、除湿用水断続弁２７を閉弁して噴出ノズル２５への水の供給を停止して噴出ノズル２５の除湿用水の噴出作動を停止する。
【００７２】
この消臭運転においても乾燥運転と同様に、設定時間が経過する毎に、または、水位センサＪにて水貯留用凹部Ｓの水位が排水用設定水位であることが検出されたときに、兼用ポンプ６を逆転作動させて、噴出ノズル２５から噴出されて水貯留用凹部Ｓに貯留される除湿用水を外部に排出させる排水処理を実行するようになっている。
【００７３】
消臭運転が終了した後に排水運転を実行する。この排水運転は、兼用ポンプ６を逆転作動させて水貯留用凹部Ｓに貯留されている除湿用水を排出させる排水動作を、水位センサＪにて、貯留されている除湿用水が排水されたことが検出されるまで行う。
【００７４】
従って、制御部Ｈは、乾燥処理を含む運転の実行が指令されると、乾燥処理を実行した後に消臭処理を実行するように構成されている。
尚、洗浄運転及びすすぎ運転において給水動作を実行するときには、除湿用水断続弁２７を開弁して除湿用給水路２６を通して噴出ノズル２５に水を供給する処理も併せて行うようにしている。このように、水を無駄にしない状態で除湿部Ｇに除湿用給水路２６から水を供給して除湿部Ｇをできるだけ清潔な状態に保つようにしている。
【００７５】
〔別実施形態〕
（１）上記実施形態では、乾燥処理を含む運転として、前記連続運転コースが指令された場合に、乾燥処理を実行した後に消臭処理を実行するように構成されているものを例示したが、乾燥処理を含む運転として、前記手洗い用運転コース及び前記乾燥のみ運転コースなど各種の運転コースが指令された場合にも、乾燥処理を実行した後に消臭処理を実行するように構成するものでもよい。要するに、乾燥運転を含む運転であればよく、このような乾燥処理を含む運転を実行するとき、乾燥処理を実行した後に前記消臭処理を実行することになる。
【００７６】
又、乾燥処理を含む運転に代えて、消臭運転だけを単独で指令することができるように構成して、制御部が消臭運転が指令されたときに消臭運転だけを実行するように構成するものでもよい。
【００７７】
（２）上記実施形態では、除湿部が、通風経路における上昇経路部分に備えられて、縦向き姿勢となる複数の平板状の伝熱体を板厚方向に沿って間隔を隔てて並置して、これら複数の平板状の伝熱体により上方通過案内部を形成し、それら複数の伝熱板に除湿用水を噴出する噴出ノズルを備える構成のものを例示したが、このような構成に代えて、次のような種々の構成を用いることができる。
【００７８】
例えば、空気と除湿用水とを接触させる構成としては、駆動手段にて回転される羽根体に水滴を吹き付けて羽根体により水分を細かく砕いて飛散させながら空気と接触させる構成のもの等、各種の形態で実施することができる。
【００７９】
又、除湿部を通風経路における上昇経路部分に備える構成に代えて、通風経路における上端に位置する水平方向に延びる経路部分や下降経路部分の途中に除湿部を備えさせて、この除湿部の内部にて除湿対象の空気を上方に向けて通過するように案内する上方通過案内部を形成して、噴出ノズルがこの上方通過案内部を上方に向けて通過する空気に対して除湿用水を下方に向けて噴出させるように構成するものでもよい。
【００８０】
さらに、除湿部が、次のように構成されるものでもよい。
すなわち、除湿部の内部に、空気が下方に向けて通過する下方経路部分と、空気が上方に通過する上方経路部分とが連なるように蛇行状の経路が形成されて、前記上方経路部分を利用して上方通過案内部を形成する構成としてもよく、上方通過案内部としては種々の構成を用いることができる。このような構成であれば、除湿部が、通風経路における下降経路部分の途中に備えられるものであっても上方通過案内部を備えることになる。
【００８１】
（３）上記実施形態では、洗浄空間が平面視にて４角形状に形成され、空気吸引口と空気供給口とが、洗浄空間における４つの側壁部のうちの一つの側壁部に、その側壁部における下位側箇所であって且つ左右両側に離れた位置に形成されるものを例示したが、空気吸引口と空気供給口とを異なる側壁部に形成するようにしてもよく、又、それらを左右方向に近接させた位置に形成するものでもよい。
【００８２】
（４）上記実施形態では、すすぎ運転において、すすぎ動作を複数回行ったのち、仕上げすすぎ動作を行うようにしているが、すすぎ動作の回数については適宜変更が可能であり、例えば、すすぎ動作を行わず、最初から仕上げすすぎ動作を行うようにして実施することも可能である。
【００８３】
（５）上記実施形態では、本発明を引き出し式の食器洗浄機に適応した例を示したが、本発明は、引き出し式以外の食器洗浄機にも適応可能である。例えば、食器洗浄機の本体部に洗浄槽が収納され、そして、本体部における前壁部が、本体部に対して開閉自在に構成される形態の食器洗浄機に対して、本発明を適用しても良い。
【符号の説明】
【００８４】
９      加熱手段
２１    空気供給口
２２    空気吸引口
２３    通風手段
２４    伝熱体
２５    噴出手段
Ｄｆ    側壁部
Ｆ      通風経路
ｆ１    上昇経路部分
ｆ２    下降経路部分
Ｇ      除湿部
Ｈ      制御手段
Ｑ      洗浄空間
Ｔ      上方通過案内部
【図１】
2010233653.tif 000003
【図２】
2010233653.tif 000004
【図３】
2010233653.tif 000005
【図４】
2010233653.tif 000006
【図５】
2010233653.tif 000007
【図６】
2010233653.tif 000008
【図７】
2010233653.tif 000009
【図８】
2010233653.tif 000010
【図９】
2010233653.tif 000011